(57)【要約】【課題】奥行き方向のスペースがない場合の設置や天井に密着させての設置が可能な機器収納キャビネットを提供する。【解決手段】上下側面板と底板とからなる本体と、この本体の開放された前面及び左右側面を閉塞すると共に係止手段を設けたカバーとからなり、上下側面板は両端部及び前面の断面が略Ｌ字となるように形成した曲げ部と、底板に沿って伸延させると共に固定手段を設けた伸延部とを備え、カバーは少なくとも曲げ部との当接箇所を断面が略コ字状となるように形成した当接部を備えた。【選択図】図３
2011119623.tif 000002
【特許請求の範囲】
【請求項１】
上下側面板と底板とからなる本体と、該本体の開放された前面及び左右側面を閉塞すると共に係止手段を設けたカバーとからなり、前記上下側面板は両端部及び前面の断面が略Ｌ字となるように形成した曲げ部と、底板に沿って伸延させると共に固定手段を設けた伸延部とを備え、前記カバーは少なくとも前記曲げ部との当接箇所を断面が略コ字状となるように形成した当接部を備えたことを特徴とする機器収納キャビネット。
【請求項２】
前記本体において、前記カバーとの接触面に耐摩耗性部材を貼り付けたことを特徴とする請求項１に記載の機器収納キャビネット。
【発明の詳細な説明】
【技術分野】
【０００１】
本発明は、機器を収納するキャビネット、特にカバー差込式のキャビネットに関するものである。
【背景技術】
【０００２】
従来、機器収納キャビネットには特許文献１に示すような、上下側面板４２及び底板４３から成る本体４１と、前面板及び左右側面板を有し前記本体４１の開放された前面及び左右側面を閉塞するカバー４４とを備え、前記前面板の上下何れか一方に前記本体４１に係止操作する平面ハンドルを設け、他方に握持手段を設けたものがある。
【０００３】
しかし、特許文献１に記載されているような機器収納キャビネットでは、カバーを装着する際にはカバーを傾ける必要があるため縦方向にスペースが必要となるという欠点があり、このためキャビネットを天井に密着させて取り付けることができないという欠点がある。
【０００４】
又、カバーを完全に取り外さなければ内部に取り付けた機器のメンテナンスが行えないという欠点がある。
【０００５】
その他の方法として、本体開口の周縁を断面がＬ字状となるように形成し、カバーを前面からスライドさせて取り付ける方法が考えられる。
【先行技術文献】
【特許文献】
【０００６】
【特許文献１】特開２００４−０３９７５０号公報
【発明の概要】
【発明が解決しようとする課題】
【０００７】
しかし、上記した方法では、カバーの着脱を行う際にはカバーを完全に本体から手前側に引き出す必要があり、奥行き方向の設置スペースとしては、本体とカバーの奥行きの合計以上の奥行きが必要となるという欠点がある。
【０００８】
又、本体開口の周縁をＬ字状に形成した場合であっても、カバーを完全に取り外さなければ内部に取り付けた機器のメンテナンスが行えないという欠点は解決されない。
【課題を解決するための手段】
【０００９】
上記した課題を解決するためになされた本発明の機器収納キャビネットは、上下側面板と底板とからなる本体と、この本体の開放された前面及び左右側面を閉塞すると共に係止手段を設けたカバーとからなり、上下側面板は両端部及び前面の断面が略Ｌ字となるように形成した曲げ部と、左右方向へ伸延させると共に固定手段を設けた伸延部とを備え、カバーは少なくとも曲げ部との当接箇所を断面が略コ字状となるように形成した当接部を備えた。
【発明の効果】
【００１０】
本発明の機器収納キャビネットによれば、係止手段を解除した状態で、カバーを手前にスライドさせることで側面にドライバー等の工具を入れるスペースができるため、ここから固定手段を外して上下側面板の着脱が可能である。
【００１１】
又、カバーをあらかじめ取り付けておいた上下側面板を底板に固定することで、カバーが本体から抜け切らないような奥行き方向の狭い設置スペースであっても、キャビネットの設置や内部に取り付けた機器のメンテナンスが可能である。
【００１２】
又、上下側面板は取り外すことが可能であるため、キャビネットを天井に密着させての設置も可能である。
【図面の簡単な説明】
【００１３】
【図１】図１は本発明の実施例１における機器収納キャビネットの分解斜視図である。
【図２】図２は図１におけるＡ部の拡大斜視図である。
【図３】図３は本発明の実施例１におけるカバーを手前に引き出した際の斜視図である。
【図４】図４は図３におけるＸ−Ｘで切ったＢ部を矢印方向から見た際の拡大断面図である。
【図５】図５は従来技術における、特許文献１に記載の電気機器収納箱のカバー装着時の側面図である。
【発明を実施するための形態】
【００１４】
本発明では、カバーを完全に取り外す必要をなくすことで奥行きのスペースが狭い場所での設置も可能にした。
【実施例１】
【００１５】
上下側面板２、１２、２２、３２と底板３、２３とからなる本体１、２１、３１と、この本体１、２１、３１の開放された前面及び左右側面を閉塞すると共に係止手段５、２５を設けたカバー４、２４、３４とからなり、上下側面板２、１２、２２、３２は両端部及び前面の断面が略Ｌ字となるように形成した曲げ部６、１６、２６、３６と、底板３、２３と平行に左右方向へ伸延させると共にダルマ穴による固定手段８、１８、２８を設けた伸延部７、１７、２７とを備え、カバー４、２４、３４は少なくとも曲げ部６、１６、２６、３６との当接箇所を断面が略コ字状となるように形成した当接部９、２９、３９を備えた。カバー４、２４、３４には前面の上下二箇所に係止手段５、２５を設け、前面にハンドル部、内側に留め金具を備え、ハンドルを回すことによって留め金具が回転し、上下側面板２、１２、２２、３２にカバー４、２４、３４が係止・解除される。カバー４、２４、３４の上下・左右方向の寸法は本体１、２１、３１より小さい寸法とする。これにより、係止手段５、２５を解除した状態で、カバー４、２４、３４を手前にスライドさせることで側面にドライバー等の工具を入れるスペースができるため、ここから固定手段８、１８、２８を外して上下側面板２、１２、２２、３２の着脱が可能となる。又、カバー４、２４、３４をあらかじめ取り付けておいた上下側面板２、１２、２２、３２を底板３、２３に固定することで、カバー４、２４、３４が本体１、２１、３１から抜け切らないような奥行き方向の狭い設置スペースであっても、キャビネットの設置や内部に取り付けた機器のメンテナンスが可能となる。又、上下側面板２、１２、２２、３２は取り外すことが可能であることに加え、カバー４、２４、３４の上下・左右方向の寸法を本体１、２１、３１より小さい寸法とすることでカバー４、２４、３４が天井や壁面に干渉せず、キャビネットを天井に密着させて設置することが可能となる。又、ダルマ穴による固定手段８、１８、２８としたため、上下側面板２、１２、２２、３２を取り付けてからビス等による固定が可能となる。又、曲げ部６、１６、２６、３６に当接部９、２９、３９との接触面に樹脂などによる耐摩耗性部材１０、２０、３０、４０を貼り付けることで本体１、２１、３１やカバー４、２４、３４の磨耗を防ぐことが可能となる。
【００１６】
なお、固定手段については本実施例におけるダルマ穴によるものに限定されるものではなく、上下側面板を固定する手段であって、本発明の趣旨を変更しない範囲で適宜変更可能である。
【００１７】
又、伸延部についても本実施例における左右方向への伸延に限定されるものではなく、上下側面板を固定するためであって、本発明の趣旨を変更しない範囲で適宜変更可能である。
【産業上の利用可能性】
【００１８】
カバーを手前にスライドさせてできる側面のスペースから、上下側面板の取り外しを行うことが可能となり、カバーを本体から完全に取り外すことなくキャビネットの設置及び内部機器のメンテナンスを行うことが可能となる。
【符号の説明】
【００１９】
１、２１、３１、４１    本体
２、１２、２２、３２、４２    上下側面板
３、２３、４３    底板
４、２４、３４、４４    カバー
５、２５    係止手段
６、１６、２６、３６    曲げ部
７、１７、２７    伸延部
８、１８、２８    固定手段
９、２９、３９    当接部
１０、２０、３０、４０    耐磨耗性部材
【図１】
2011119623.tif 000003
【図２】
2011119623.tif 000004
【図３】
2011119623.tif 000005
【図４】
2011119623.tif 000006
【図５】
2011119623.tif 000007